【手続補正書】
【提出日】平成20年1月17日(2008.1.17)
【手続補正１】
【補正対象書類名】明細書
【補正対象項目名】特許請求の範囲
【補正方法】変更
【補正の内容】
【特許請求の範囲】
【請求項１】  電波を受信する受信部と、該受信部からの出力信号に基づい
て受信強度を検出する受信強度検出手段とを備えた受信機において、
前記受信強度検出手段のリップル電圧を検出するノイズ検出手段と、
該ノイズ検出手段で検出されるリップル電圧に基づいて前記出力信号のノイズ
を除去するノイズキャンセラ−手段とを備えていることを特徴とする受信機。
【請求項２】  電波を受信する受信部と、該受信部からの出力信号に基づい
て受信強度を検出する受信強度検出手段とを備えた受信機において、
前記受信強度検出手段のリップル電圧を検出するノイズ検出手段と、
該ノイズ検出手段で検出されるリップル電圧に基づいて前記出力信号のレベル
を制御するソフトミュ−ト手段とを備えていることを特徴とする受信機。
【請求項３】  電波を受信する受信部と、該受信部に電源電圧を供給するた
めの電源回路とを備えた受信機において、
前記電源回路の電源リップルを検出する電源ノイズ検出手段と、
該電源ノイズ検出手段で検出される電源リップルに基づいて、前記受信部から
の出力信号のノイズを除去するノイズキャンセラ−手段とを備えていることを特
徴とする受信機。
【請求項４】  電波を受信する受信部と、該受信部に電源電圧を供給するた
めの電源回路とを備えた受信機において、
前記電源回路の電源リップルを検出する電源ノイズ検出手段と、
該電源ノイズ検出手段で検出される電源リップルに基づいて、前記受信部から
の出力信号のレベルを制御するソフトミュ−ト手段とを備えていることを特徴と
する受信機。
【請求項５】  電波を受信する受信部と、該受信部に電源電圧を供給するた
めのバッテリ電源とを備えた受信機において、
前記バッテリ電源のリップル電圧を検出するバッテリ電源ノイズ検出手段と、
該バッテリ電源ノイズ検出手段で検出されるリップル電圧に基づいて、前記受
信部からの出力信号のノイズを除去するノイズキャンセラ−手段とを備えている
ことを特徴とする受信機。
【請求項６】  電波を受信する受信部と、該受信部に電源電圧を供給するた
めのバッテリ電源とを備えた受信機において、
前記バッテリ電源のリップル電圧を検出するバッテリ電源ノイズ検出手段と、
該バッテリ電源ノイズ検出手段で検出されるリップル電圧に基づいて、前記受
信部からの出力信号のレベルを制御するソフトミュ−ト手段とを備えていること
を特徴とする受信機。
【請求項７】  電波を受信する受信部を備えた受信機において、
電源電圧を供給する電源と接続された電装系回路と、
前記電源から前記電装系回路への通電を検知する通電検知手段と、
該通電検知手段で検出される通電検知信号に基づいて、前記受信部からの出力
信号のノイズを除去するノイズキャンセラ−手段とを備えていることを特徴とす
る受信機。
【請求項８】  電波を受信する受信部を備えた受信機において、
電源電圧を供給する電源と接続された電装系回路と、
前記電源から前記電装系回路への通電を検知する通電検知手段と、
該通電検知手段で検出される通電検知信号に基づいて、前記受信部からの出力
信号のレベルを制御するソフトミュ−ト手段とを備えていることを特徴とする受
信機。
【手続補正２】
【補正対象書類名】明細書
【補正対象項目名】００１０
【補正方法】変更
【補正の内容】
【００１０】
【課題を解決するための手段及びその効果】
上記目的を達成するために本発明に係る受信機（１）は、電波を受信する受信
部と、該受信部からの出力信号に基づいて受信強度を検出する受信強度検出手段
とを備えた受信機において、前記受信強度検出手段のリップル電圧を検出するノ
イズ検出手段と、該ノイズ検出手段で検出されるリップル電圧に基づいて前記出
力信号のノイズを除去するノイズキャンセラ−手段とを備えていることを特徴と
している。
【手続補正３】
【補正対象書類名】明細書
【補正対象項目名】００１１
【補正方法】変更
【補正の内容】
【００１１】
上記受信機（１）によれば、受信強度検出手段のリップル電圧を検出するノイ
ズ検出手段と、該ノイズ検出手段で検出されるリップル電圧に基づいて前記出力
信号のノイズを除去するノイズキャンセラ−手段とを備えているので、電装系ノ
イズが発生したときに通常時よりも大きくなる前記受信強度検出手段のリップル
電圧を前記ノイズ検出手段で検出し、該検出信号に基づいて前記ノイズキャンセ
ラ−手段を強制的に作動させることができ、前記受信強度検出手段にリップル電
圧が発生したときの前記ノイズキャンセラ−手段の電界レベルの誤検知を防止す
ることができる。そして、確実に前記ノイズキャンセラ−手段を動作させること
ができ、アンテナ以外から進入してくる電装系ノイズに対しても対応可能となり
、確実にそのノイズを除去もしくは低減することができる。
【手続補正４】
【補正対象書類名】明細書
【補正対象項目名】００１２
【補正方法】変更
【補正の内容】
【００１２】
また本発明に係る受信機（２）は、電波を受信する受信部と、該受信部からの
出力信号に基づいて受信強度を検出する受信強度検出手段とを備えた受信機にお
いて、前記受信強度検出手段のリップル電圧を検出するノイズ検出手段と、該ノ
イズ検出手段で検出されるリップル電圧に基づいて前記出力信号のレベルを制御
するソフトミュ−ト手段とを備えていることを特徴としている。
【手続補正５】
【補正対象書類名】明細書
【補正対象項目名】００１３
【補正方法】変更
【補正の内容】
【００１３】
上記受信機（２）によれば、受信強度検出手段のリップル電圧を検出するノイ
ズ検出手段と、該ノイズ検出手段で検出されるリップル電圧に基づいて前記出力
信号のレベルを制御するソフトミュ−ト手段とを備えているので、電装系ノイズ
が発生したときに通常時よりも大きくなる前記受信強度検出手段のリップル電圧
を、前記ノイズ検出手段で検出し、該検出信号に基づいて前記ソフトミュ−ト手
段を作動させることができ、前記受信強度検出手段にリップル電圧が発生したと
きの前記ソフトミュ−ト手段の電界レベルの誤検知を防止することができる。そ
して、確実に前記ソフトミュ−ト手段を動作させることができ、アンテナ以外か
ら進入してくる電装系ノイズに対しても対応可能となり、確実にそのノイズを除
去もしくは低減することができる。
【手続補正６】
【補正対象書類名】明細書
【補正対象項目名】００１４
【補正方法】変更
【補正の内容】
【００１４】
また本発明に係る受信機（３）は、電波を受信する受信部と、該受信部に電源
電圧を供給するための電源回路とを備えた受信機において、前記電源回路の電源
リップルを検出する電源ノイズ検出手段と、該電源ノイズ検出手段で検出される
電源リップルに基づいて、前記受信部からの出力信号のノイズを除去するノイズ
キャンセラ−手段とを備えていることを特徴としている。
【手続補正７】
【補正対象書類名】明細書
【補正対象項目名】００１５
【補正方法】変更
【補正の内容】
【００１５】
上記受信機（３）によれば、電源回路の電源リップルを検出する電源ノイズ検
出手段と、該電源ノイズ検出手段で検出される電源リップルに基づいて、前記受
信部からの出力信号のノイズを除去するノイズキャンセラ−手段とを備えている
ので、前記電源ノイズ検出手段により、電装系ノイズが発生したときの電源リッ
プルや電源ラインから入るノイズ、或は電源電圧や負荷電流の変化に伴う電源リ
ップルを検出することができ、該検出信号に基づいて前記ノイズキャンセラ−手
段を強制的に作動させることができ、アンテナ以外から進入してくる電装系ノイ
ズに対しても対応可能となり、確実にそのノイズを除去もしくは低減することが
できる。
【手続補正８】
【補正対象書類名】明細書
【補正対象項目名】００１６
【補正方法】変更
【補正の内容】
【００１６】
また本発明に係る受信機（４）は、電波を受信する受信部と、該受信部に電源
電圧を供給するための電源回路とを備えた受信機において、前記電源回路の電源
リップルを検出する電源ノイズ検出手段と、該電源ノイズ検出手段で検出される
電源リップルに基づいて、前記受信部からの出力信号のレベルを制御するソフト
ミュ−ト手段とを備えていることを特徴としている。
【手続補正９】
【補正対象書類名】明細書
【補正対象項目名】００１７
【補正方法】変更
【補正の内容】
【００１７】
上記受信機（４）によれば、電源回路の電源リップルを検出する電源ノイズ検
出手段と、該電源ノイズ検出手段で検出される電源リップルに基づいて、前記受
信部からの出力信号のレベルを制御するソフトミュ−ト手段とを備えているので
、前記電源ノイズ検出手段により、電装系ノイズが発生したときの電源リップル
や電源ラインから入るノイズ、或は電源電圧や負荷電流の変化に伴う電源リップ
ルを検出することができ、該検出信号に基づいて前記ソフトミュ−ト手段を作動
させることができ、アンテナ以外から進入してくる電装系ノイズに対しても対応
可能となり、確実にそのノイズを除去もしくは低減することができる。
【手続補正１０】
【補正対象書類名】明細書
【補正対象項目名】００１８
【補正方法】変更
【補正の内容】
【００１８】
また本発明に係る受信機（５）は、電波を受信する受信部と、該受信部に電源
電圧を供給するためのバッテリ電源とを備えた受信機において、前記バッテリ電
源のリップル電圧を検出するバッテリ電源ノイズ検出手段と、該バッテリ電源ノ
イズ検出手段で検出されるリップル電圧に基づいて、前記受信部からの出力信号
のノイズを除去するノイズキャンセラ−手段とを備えていることを特徴としてい
る。
【手続補正１１】
【補正対象書類名】明細書
【補正対象項目名】００１９
【補正方法】変更
【補正の内容】
【００１９】
上記受信機（５）によれば、バッテリ電源のリップル電圧を検出するバッテリ
電源ノイズ検出手段と、該バッテリ電源ノイズ検出手段で検出されるリップル電
圧に基づいて、前記受信部からの出力信号のノイズを除去するノイズキャンセラ
−手段とを備えているので、前記バッテリ電源ノイズ検出手段により、電装系ノ
イズが発生したときのバッテリ電源リップルを検出することができ、該検出信号
に基づいて前記ノイズキャンセラ−手段を作動させることができるので、アンテ
ナ以外から進入してくる電装系ノイズに対しても対応可能となり、確実にそのノ
イズを除去もしくは低減することができる。
【手続補正１２】
【補正対象書類名】明細書
【補正対象項目名】００２０
【補正方法】変更
【補正の内容】
【００２０】
また本発明に係る受信機（６）は、電波を受信する受信部と、該受信部に電源
電圧を供給するためのバッテリ電源とを備えた受信機において、前記バッテリ電
源のリップル電圧を検出するバッテリ電源ノイズ検出手段と、該バッテリ電源ノ
イズ検出手段で検出されるリップル電圧に基づいて、前記受信部からの出力信号
のレベルを制御するソフトミュ−ト手段とを備えていることを特徴としている。
【手続補正１３】
【補正対象書類名】明細書
【補正対象項目名】００２１
【補正方法】変更
【補正の内容】
【００２１】
上記受信機（６）によれば、バッテリ電源のリップル電圧を検出するバッテリ
電源ノイズ検出手段と、該バッテリ電源ノイズ検出手段で検出されるリップル電
圧に基づいて、前記受信部からの出力信号のレベルを制御するソフトミュ−ト手
段とを備えているので、前記バッテリ電源ノイズ検出手段により、電装系ノイズ
が発生したときのバッテリ電源のリップル電圧を検出することができ、該検出信
号に基づいて前記ソフトミュ−ト手段を作動させることができるので、アンテナ
以外から進入してくる電装系ノイズに対しても対応可能となり、確実にそのノイ
ズを除去もしくは低減することができる。
【手続補正１４】
【補正対象書類名】明細書
【補正対象項目名】００２２
【補正方法】変更
【補正の内容】
【００２２】
また本発明に係る受信機（７）は、電波を受信する受信部を備えた受信機にお
いて、電源電圧を供給する電源と接続された電装系回路と、前記電源から前記電
装系回路への通電を検知する通電検知手段と、該通電検知手段で検出される通電
検知信号に基づいて、前記受信部からの出力信号のノイズを除去するノイズキャ
ンセラ−手段とを備えていることを特徴としている。
【手続補正１５】
【補正対象書類名】明細書
【補正対象項目名】００２３
【補正方法】変更
【補正の内容】
【００２３】
上記受信機（７）によれば、電源と接続された電装系回路と、前記電源から前
記電装系回路への通電を検知する通電検知手段と、該通電検知手段で検出される
通電検知信号に基づいて、前記受信部からの出力信号のノイズを除去するノイズ
キャンセラ−手段とを備えているので、前記電源から前記電装系回路への通電と
連動して前記ノイズキャンセラ−手段を強制的に作動させることができ、前記電
装系回路の作動により受信回路に進入する電装系ノイズを確実に除去もしくは低
減することができる。また回路構成も複雑かつ大型化することなく、しかもコス
トをかけることなくアンテナ以外から進入してくる電装系ノイズに対しても効果
的な対策が可能になる。
【手続補正１６】
【補正対象書類名】明細書
【補正対象項目名】００２４
【補正方法】変更
【補正の内容】
【００２４】
また本発明に係る受信機（８）は、電波を受信する受信部を備えた受信機にお
いて、電源電圧を供給する電源と接続された電装系回路と、前記電源から前記電
装系回路への通電を検知する通電検知手段と、該通電検知手段で検出される通電
検知信号に基づいて、前記受信部からの出力信号のレベルを制御するソフトミュ
−ト手段とを備えていることを特徴としている。
【手続補正１７】
【補正対象書類名】明細書
【補正対象項目名】００２５
【補正方法】変更
【補正の内容】
【００２５】
上記受信機（８）によれば、電源と接続された電装系回路と、前記電源から前
記電装系回路への通電を検知する通電検知手段と、該通電検知手段で検出される
通電検知信号に基づいて、前記受信部からの出力信号のレベルを制御するソフト
ミュ−ト手段とを備えているので、前記電源から前記電装系回路への通電と連動
して前記ソフトミュ−ト手段を作動させることができ、前記電装系回路の作動に
より受信回路に進入するノイズを確実に除去もしくは低減させることができる。
また、回路構成も複雑かつ大型化することなく、しかもコストをかけることなく
アンテナ以外から進入してくる電装系ノイズに対しても効果的な対策が可能にな
る。